(57)【要約】  基地局装置（１００）は、第１のデータと第２のデータとが端末装置（３００）から同時に送信される場合の、第１のデータの送信方法を指定する情報を前記端末装置（３００）へ送信する無線通信部（１５０）と、前記端末装置（３００）からの第１のデータの受信処理を実行する復号部（１３４）とを有する。前記第１のデータの送信方法を指定する情報は、第１のデータに適用する変調方式及び符号化率の少なくとも１つを含む。
2020090067.tif 000002
【特許請求の範囲】
【請求項１】
第１のデータと第２のデータとが端末装置から同時に送信される場合の、第１のデータの送信方法を指定する情報を前記端末装置へ送信する送信部と、
前記端末装置からの第１のデータの受信処理を実行する受信処理部と
を有することを特徴とする基地局装置。
【請求項２】
第１のデータと第２のデータは時間長が異なることを特徴とする請求項１記載の基地局装置。
【請求項３】
前記第１のデータの送信方法を指定する情報を利用し、前記端末装置からの第１のデータを受信処理することを特徴とする請求項１記載の基地局装置。
【請求項４】
前記送信部は、
前記第１のデータの送信方法を指定する情報を、第２のデータの送信タイミングの前に、前記端末装置へ送信することを特徴とする請求項１〜３のいずれか１つに記載の基地局装置。
【請求項５】
前記第１のデータの送信方法を指定する情報は、第１のデータに適用する変調方式及び符号化率の少なくとも１つを含むことを特徴とする請求項１〜３のいずれか１つに記載の基地局装置。
【請求項６】
前記第１のデータの送信方法を指定する情報は、第１のデータの送信電力と第２のデータの送信電力との和が前記端末装置の最大送信可能電力又は最大送信許可電力のいずれかを超える場合に利用されることを特徴とする請求項１〜３のいずれか１つに記載の基地局装置。
【請求項７】
前記送信部は、
前記端末装置の送信電力に関する送信電力情報に基づいて、第１のデータの符号化率又は変調方式を決定することを特徴とする請求項５記載の基地局装置。
【請求項８】
前記受信処理部は、
第２のデータの送信タイミングが到来すると、前記送信部によって送信された情報が指定する符号化率又は変調方式に対応する受信処理を実行することを特徴とする請求項５記載の基地局装置。
【請求項９】
前記送信部は、
前記端末装置の送信電力に関するパラメータの値と第１のデータの符号化率及び変調方式の少なくとも１つとの間の関係を示す情報を前記端末装置へ送信することを特徴とする請求項１記載の基地局装置。
【請求項１０】
前記受信処理部は、
第２のデータの送信タイミングが到来すると、前記送信部によって送信された前記端末装置の送信電力に関するパラメータの値と第１のデータの符号化率及び変調方式の少なくとも１つとの間の関係を示す情報を用い、前記端末装置からの第１のデータを受信処理することを特徴とする請求項９記載の基地局装置。
【請求項１１】
第１のデータと第２のデータとが同時に送信される場合の、第１のデータの送信方法を指定する情報を受信する受信部と、
第１のデータに対する送信処理を実行する第１送信処理部と、
第２のデータに対する送信処理を実行する第２送信処理部と、
第１のデータ及び第２のデータの送信電力を制御する送信電力制御部とを有し、
前記第１送信処理部は、
第１のデータ及び第２のデータが同時に送信される場合に、前記受信部によって受信された情報に応じた送信方法で送信処理を実行する
ことを特徴とする端末装置。
【請求項１２】
第１のデータと第２のデータは時間長が異なることを特徴とする請求項１１記載の端末装置。
【請求項１３】
前記送信電力制御部は、
自装置の最大送信電力から第２のデータの送信電力を減算した差の電力を超えない範囲で第１のデータの送信電力を制御することを特徴とする請求項１１又は１２記載の端末装置。
【請求項１４】
前記第１送信処理部は、
第２のデータの送信タイミングに前記受信部によって受信された情報が指定する符号化率又は変調方式で第１のデータを符号化又は変調することを特徴とする請求項１１又は１２記載の端末装置。
【請求項１５】
前記受信部は、
自装置の送信電力に関するパラメータの値と第１のデータの符号化率及び変調方式の少なくとも１つとの間の関係を示す情報を受信し、
前記第１送信処理部は、
第１のデータ及び第２のデータが同時に送信される場合に、前記受信部によって受信された情報から前記パラメータの値に対応する符号化率及び変調方式の少なくとも１つを決定し、決定した符号化率と変調方式を第１のデータに適用することを特徴とする請求項１１又は１２記載の端末装置。
【請求項１６】
端末装置と、前記端末装置から第１のデータを受信する第１の基地局装置と、前記端末装置から第２のデータを受信する第２の基地局装置とを有する無線通信システムであって、
前記第１の基地局装置は、
第１のデータと第２のデータとが前記端末装置から同時に送信される場合の、第１のデータの送信方法を指定する情報を前記端末装置へ送信する送信部と、
前記送信部によって送信された情報に応じて、前記端末装置から第２のデータと同時に送信される第１のデータの受信処理を実行する受信処理部と
を有し、
前記端末装置は、
前記送信部から送信された情報を受信する受信部と、
第１のデータに対する送信処理を実行する第１送信処理部と、
第２のデータに対する送信処理を実行する第２送信処理部と、
第１のデータ及び第２のデータの送信電力を制御する送信電力制御部とを有し、
前記第１送信処理部は、
第１のデータ及び第２のデータが同時に送信される場合に、前記受信部によって受信された情報に応じた送信方法で送信処理を実行する
ことを特徴とする無線通信システム。
【発明の詳細な説明】
【技術分野】
【０００１】
本発明は、基地局装置、端末装置及び無線通信システムに関する。
【背景技術】
【０００２】
近年、例えば携帯電話機やスマートフォンなどの端末装置が同時に複数の基地局装置に接続して無線通信する二元接続（Dual  Connectivity：ＤＣ）が行われることがある。ＤＣでは、例えば１つの基地局装置が端末装置へ制御情報を送信し、通信路の確立などを実行する。すなわち、いずれかの基地局装置が複数の基地局装置と端末装置の間の通信設定を行う。そして、各基地局装置は、通信設定に従って、端末装置との間でユーザデータを送受信する。【０００３】
送受信されるユーザデータとしては、例えば第５世代移動体通信システム（５Ｇ）における種々のユースケースのデータなどがある。具体的には、５Ｇでは、多種多様なサービスに対応するために、ＵＲＬＬＣ（Ultra−Reliable  and  Low  Latency  Communication）、ｅＭＢＢ（Enhanced  Mobile  BroadBand）及びＭａｓｓｉｖｅ  ＭＴＣ（Machine  Type  Communications）に分類される多くのユースケースのサポートが想定されている。これらの各種のユースケースのデータが二元接続する基地局装置と端末装置の間で送受信されることが考えられる。【０００４】
二元接続が採用される無線通信システムでは、例えば１つの基地局装置がｅＭＢＢのデータを送受信し、他の１つの基地局装置がＵＲＬＬＣのデータを送受信することがある。このような場合、各基地局装置は、端末装置からのアップリンク（UpLink：ＵＬ）の送信電力を独立して制御する。すなわち、ｅＭＢＢデータを送受信する基地局装置は、端末装置が送信するｅＭＢＢデータの送信電力を制御し、ＵＲＬＬＣデータを送受信する基地局装置は、端末装置が送信するＵＲＬＬＣデータの送信電力を制御する。この結果、それぞれの基地局装置においては、ｅＭＢＢデータ及びＵＲＬＬＣデータについて所望の受信品質を確保することができる。
【先行技術文献】
【特許文献】
【０００５】
【特許文献１】特表２０１７−５０７５８３号公報
【特許文献２】特表２０１７−５０５５７５号公報
【特許文献３】国際公開第２０１６／００６３４５号
【発明の概要】
【発明が解決しようとする課題】
【０００６】
しかしながら、端末装置の送信電力には一定の上限値があるため、ｅＭＢＢデータ及びＵＲＬＬＣデータそれぞれについての送信電力が大きい場合には、基地局装置からの指示に従った送信電力制御が困難なことがある。具体的には、ｅＭＢＢデータとＵＲＬＬＣデータの送信タイミングが同時になった場合、それぞれのデータの送信先となる基地局装置から指示される送信電力の合計が端末装置の最大送信電力を超えてしまうことがある。【０００７】
このような場合、端末装置は、双方のデータの送信電力を削減したり、後から送信を開始するデータの送信電力を削減したりすることにより、合計の送信電力が最大送信電力を超えないようにする。このとき、ＵＲＬＬＣデータのように高信頼性が求められ優先度が高いデータの送信電力が削減されると、基地局装置における受信品質が低下し、要求される水準の信頼性が得られないという問題がある。すなわち、ＵＲＬＬＣデータは、ｅＭＢＢデータのような通常のデータと比較して、超高信頼性及び低遅延が要求される優先度が高いデータである。それにも関わらず、ＵＲＬＬＣデータの送信電力が基地局装置からの指示通りに増加されない場合には、基地局装置におけるＵＲＬＬＣデータの受信品質が低下し、十分な信頼性が得られないことがある。【０００８】
開示の技術は、かかる点に鑑みてなされたものであって、データに要求される信頼性を満たすことができる基地局装置、端末装置及び無線通信システムを提供することを目的とする。
【課題を解決するための手段】
【０００９】
本願が開示する基地局装置は、１つの態様において、第１のデータと第２のデータとが端末装置から同時に送信される場合の、第１のデータの送信方法を指定する情報を前記端末装置へ送信する送信部と、前記端末装置からの第１のデータの受信処理を実行する受信処理部とを有する。
【発明の効果】
【００１０】
本願が開示する基地局装置、端末装置及び無線通信システムの１つの態様によれば、データに要求される信頼性を満たすことができるという効果を奏する。
【図面の簡単な説明】
【００１１】
【図１】図１は、実施の形態１に係る無線通信システムの一例を示す図である。
【図２】図２は、実施の形態１に係る基地局装置の構成を示すブロック図である。
【図３】図３は、実施の形態１に係る他の基地局装置の構成を示すブロック図である。
【図４】図４は、実施の形態１に係る端末装置の構成を示すブロック図である。
【図５】図５は、実施の形態１に係るＵＬ送信方法を示すシーケンス図である。
【図６】図６は、実施の形態１に係る基地局装置の動作を示すフロー図である。
【図７】図７は、実施の形態１に係る端末装置の動作を示すフロー図である。
【図８】図８は、送信電力の推移の一例を示す図である。
【図９】図９は、実施の形態２に係る基地局装置の構成を示すブロック図である。
【図１０】図１０は、符号化率テーブルの一例を示す図である。
【図１１】図１１は、実施の形態２に係る端末装置の構成を示すブロック図である。
【図１２】図１２は、実施の形態２に係るＵＬ送信方法を示すシーケンス図である。
【図１３】図１３は、実施の形態２に係る基地局装置の動作を示すフロー図である。
【図１４】図１４は、実施の形態２に係る端末装置の動作を示すフロー図である。
【発明を実施するための形態】
【００１２】
以下、本願が開示する基地局装置、端末装置及び無線通信システムの実施の形態について、図面を参照して詳細に説明する。なお、この実施の形態により本発明が限定されるものではない。
【００１３】
（実施の形態１）
図１は、実施の形態１に係る無線通信システムの一例を示す図である。図１に示す無線通信システムにおいては、端末装置３００が基地局装置１００及び基地局装置２００と二元接続（ＤＣ）する。すなわち、基地局装置１００は、例えばｅＭＢＢデータなどの通常データを端末装置３００との間で送受信する。一方、基地局装置２００は、例えばＵＲＬＬＣデータなどの通常データより優先度が高いデータを端末装置３００との間で送受信する。
【００１４】
なお、以下においては、基地局装置１００が通常データを送受信し、基地局装置２００が通常データよりも優先度が高いＵＲＬＬＣデータを送受信するものとして説明するが、これに限定されない。すなわち、基地局装置１００がＵＲＬＬＣデータを送受信し、基地局装置２００が通常データを送受信しても良いし、優先度が高いデータとしてＵＲＬＬＣデータ以外のデータが送受信されても良い。さらに、ＵＲＬＬＣデータ間で優先度が異なっても良い。例えば、ＵＲＬＬＣサービス１とＵＲＬＬＣサービス２とでデータの伝送遅延許容時間や要求信頼度が異なる場合、これらのサービスを同時に受ける端末装置は、優先度が異なるＵＲＬＬＣデータを同時に送信することがある。また、本願においては、通常データの一例としてｅＭＢＢデータを挙げているが、将来さらなるｅＭＢＢの高性能化が図られ、優先度が高いｅＭＢＢデータと優先度の低いＵＲＬＬＣデータとの同時送信が行われることも考えられる。
【００１５】
基地局装置１００、２００は、それぞれ通常データ及びＵＲＬＬＣデータの端末装置３００からの送信電力を独立して制御する。具体的には、基地局装置１００は、端末装置３００から送信される通常データの受信品質を測定し、測定結果に応じて送信電力の増加又は減少を指示する送信電力制御（Transmission  Power  Control：ＴＰＣ）コマンドを送信する。また、基地局装置２００は、端末装置３００から送信されるＵＲＬＬＣデータの受信品質を測定し、測定結果に応じて送信電力の増加又は減少を指示するＴＰＣコマンドを送信する。
【００１６】
基地局装置１００は、ＵＲＬＬＣデータのスケジューリング情報を含むＵＲＬＬＣ情報を基地局装置２００から取得し、端末装置３００から通常データとＵＲＬＬＣデータが同時に送信されるタイミングにおいて通常データに臨時に適用される臨時符号化率を設定する。すなわち、基地局装置１００は、ＵＲＬＬＣデータが端末装置３００から基地局装置２００へ送信されるタイミングの情報を含むＵＲＬＬＣ情報を取得する。そして、基地局装置１００は、通常データとＵＲＬＬＣデータが端末装置３００から同時に送信される場合に、通常データに適用する臨時符号化率を端末装置３００へ通知し、通常データの誤り耐性を向上する。これにより、端末装置３００からのアップリンク（ＵＬ）の送信において、優先度が高いＵＲＬＬＣデータの送信電力が優先的に確保され、通常データの送信電力が削減される場合でも、通常データの受信品質低下を抑制することができる。
【００１７】
臨時符号化率としては、具体的な値が端末装置３００に通知されても良いが、端末装置３００が選択可能な符号化率の候補が事前に端末装置３００へ通知され、候補のうちのどの符号化率を選択するかが通知されても良い。例えば、臨時符号化率の候補値がＲ１、Ｒ２の２つの場合、１ビットを用いてＲ１及びＲ２のいずれかを臨時符号化率として指定しても良い。さらには、臨時符号化率の値ではなく、臨時符号化率を決定する方法が通知されても良い。例えば、送信電力の減少量と適用可能な臨時符号化率の値との関係を事前に決定しておき、送信電力の減少量に基づいて臨時符号化率を決定する方法や、データに適用される元の符号化率に対して適用可能な臨時符号率の値の候補を決定しておき、元の符号化率に基づいて候補の中から臨時符号化率を決定する方法などの複数の方法から採用する方法を指定しても良い。なお、端末装置３００に対して臨時符号化率の値を通知する場合以外は、基地局装置１００は、端末装置３００によって選択された臨時符号化率の値を、すべての候補の値に基づいてブラインド検出して特定する。
【００１８】
なお、基地局装置２００は、端末装置３００に対してＵＲＬＬＣデータの送信に使用する周期的な無線リソースをあらかじめ割り当てており、この無線リソース割当情報を含むＵＲＬＬＣ情報を基地局装置１００へ送信する。この周期的な無線リソースは、時間領域で一定の間隔で周期的に配置されており、端末装置３００は、送信すべきＵＲＬＬＣデータが発生した際、直近の無線リソースを用いてデータ送信する。無線リソース割当情報には、無線リソースの割り当て周期、割り当ての際の時間領域における基準タイミング（例えば、無線フレームや無線サブフレーム等の境界線）とのオフセット量及び無線リソースの時間長等が含まれていても良い。
【００１９】
端末装置３００は、基地局装置１００及び基地局装置２００と二元接続する。端末装置３００は、基地局装置１００へ送信すべき通常データが発生した場合には、スケジューリングリクエスト（Scheduling  Request:ＳＲ）を基地局装置１００へ送信し、ＵＬの送信を許可するＵＬグラントを受信した場合に通常データを送信する。また、端末装置３００は、あらかじめ定められたＵＲＬＬＣデータの送信タイミングにおいて、基地局装置２００へＵＲＬＬＣデータを送信する。
【００２０】
したがって、端末装置３００は、通常データとＵＲＬＬＣデータを同時に送信することがある。この場合、端末装置３００は、優先度が高いＵＲＬＬＣデータの送信電力を優先的に確保し、通常データの送信電力を削減して、送信電力の合計が端末装置３００の最大送信電力を超えないようにする。そして、端末装置３００は、送信電力を削減する通常データの符号化率を、基地局装置１００から通知される臨時符号化率に設定する。
【００２１】
図２は、実施の形態１に係る基地局装置１００の構成を示すブロック図である。基地局装置１００は、例えばｅＭＢＢデータなどの通常データを送受信する基地局装置である。図２に示す基地局装置１００は、上位インタフェース部（以下「上位Ｉ／Ｆ部」と略記する）１１０、基地局間インタフェース部（以下「基地局間Ｉ／Ｆ部」と略記する）１２０、プロセッサ１３０、メモリ１４０及び無線通信部１５０を有する。
【００２２】
上位Ｉ／Ｆ部１１０は、例えばコアネットワークに属する上位装置に接続し、上位装置との間で通常データを送受信する。
【００２３】
基地局間Ｉ／Ｆ部１２０は、基地局装置２００を含む他の基地局装置と接続し、基地局装置間で情報を送受信する。具体的には、基地局間Ｉ／Ｆ部１２０は、ＵＲＬＬＣデータのスケジューリング情報を含むＵＲＬＬＣ情報を基地局装置２００から受信する。
【００２４】
プロセッサ１３０は、例えばＣＰＵ（Central  Processing  Unit）、ＦＰＧＡ（Field  Programmable  Gate  Array）又はＤＳＰ（Digital  Signal  Processor）などを備え、基地局装置１００の全体を統括制御する。具体的には、プロセッサ１３０は、符号化部１３１、変調部１３２、復調部１３３、復号部１３４、ＴＰＣコマンド生成部１３５、スケジューリング部１３６、ＵＲＬＬＣ情報取得部１３７、臨時符号化率設定部１３８及びＲＲＣ（Radio  Resource  Control）制御部１３９を有する。
【００２５】
符号化部１３１は、上位Ｉ／Ｆ部１１０によって上位装置から受信された通常データを符号化し、得られた符号化データを変調部１３２へ出力する。また、符号化部１３１は、ＴＰＣコマンド生成部１３５によって生成されるＴＰＣコマンドを符号化する。符号化部１３１は、スケジューリング部１３６によって指定される符号化率で通常データ及びＴＰＣコマンドを符号化する。
【００２６】
変調部１３２は、符号化部１３１から出力される符号化データを変調することにより送信信号を生成し、無線通信部１５０へ出力する。また、変調部１３２は、符号化されたＴＰＣコマンドを変調する。変調部１３２は、スケジューリング部１３６によって指定される変調方式で符号化データ及びＴＰＣコマンドを変調する。
【００２７】
復調部１３３は、無線通信部１５０によって受信された受信信号を復調し、得られた復調データを復号部１３４へ出力する。
【００２８】
復号部１３４は、復調部１３３から出力される復調データを復号し、復号結果の通常データを上位Ｉ／Ｆ部１１０へ出力する。また、復号部１３４は、復号結果に含まれるＳＲをスケジューリング部１３６へ出力し、ＵＬのスケジューリングを依頼する。復号部１３４は、通常、スケジューリング部１３６が決定したＵＬの符号化率に基づいて復調データを復号するが、臨時符号化率設定部１３８が臨時符号化率を設定した場合には、ＵＲＬＬＣデータと同時に送信される通常データを臨時符号化率に基づいて復号する。
【００２９】
ＴＰＣコマンド生成部１３５は、通常データの受信品質を測定し、受信品質に基づいて端末装置３００からの通常データの送信電力を増加又は減少させるＴＰＣコマンドを生成する。すなわち、ＴＰＣコマンド生成部１３５は、通常データの受信品質が所定品質未満である場合には、通常データの送信電力を増加させるＴＰＣコマンドを生成し、通常データの受信品質が所定品質以上である場合には、通常データの送信電力を減少させるＴＰＣコマンドを生成する。
【００３０】
スケジューリング部１３６は、ダウンリンク（DownLink：ＤＬ）及びアップリンク（ＵＬ）のスケジューリングを実行する。具体的には、スケジューリング部１３６は、端末装置３００へ送信する通常データの符号化率及び変調方式を決定するＤＬのスケジューリングを実行し、決定した符号化率を符号化部１３１へ通知するとともに、決定した変調方式を変調部１３２へ通知する。また、スケジューリング部１３６は、復号部１３４からＳＲが出力されると、端末装置３００から送信される通常データの符号化率及び変調方式を決定するＵＬのスケジューリングを実行し、これらの符号化率及び変調方式とＵＬの送信を許可する旨とを含むＵＬグラントを生成する。そして、スケジューリング部１３６は、生成したＵＬグラントを符号化部１３１、変調部１３２及び無線通信部１５０経由で端末装置３００へ送信する。
【００３１】
ＵＲＬＬＣ情報取得部１３７は、基地局間Ｉ／Ｆ部１２０によって受信されたＵＲＬＬＣ情報を取得する。すなわち、ＵＲＬＬＣ情報取得部１３７は、ＵＲＬＬＣデータを送信するためにあらかじめ端末装置３００に割り当てられた送信タイミングの情報を含むＵＲＬＬＣ情報を取得する。
【００３２】
臨時符号化率設定部１３８は、復号部１３４による復号結果にＳＲが含まれる場合、ＳＲと共に受信される端末装置３００の送信電力情報を取得し、送信電力情報に基づいて臨時符号化率を設定する。具体的には、臨時符号化率設定部１３８は、端末装置３００が設定可能な送信電力の上限値である最大送信電力と、端末装置３００がＵＲＬＬＣデータの送信に使用する送信電力（以下「ＵＲＬＬＣ送信電力」という）と、端末装置３００が通常データの送信に本来使用すべき送信電力（以下「通常データ送信電力」という）との情報を含む送信電力情報を取得する。
【００３３】
そして、臨時符号化率設定部１３８は、ＵＲＬＬＣ送信電力と通常データ送信電力との和が最大送信電力以下であるか否かを判定し、最大送信電力以下である場合には、スケジューリング部１３６によって決定されるＵＬの符号化率をそのまま臨時符号化率に設定する。一方、臨時符号化率設定部１３８は、ＵＲＬＬＣ送信電力と通常データ送信電力との和が最大送信電力より大きい場合には、通常データの送信電力が削減されると考えられることから、通常データの誤り耐性が向上するように、スケジューリング部１３６によって決定されるＵＬの符号化率よりも小さい符号化率を臨時符号化率に設定する。臨時符号化率設定部１３８は、ＵＲＬＬＣデータと同時に送信される通常データについては、設定した臨時符号化率を用いて復号するように復号部１３４へ指示する。また、臨時符号化率設定部１３８は、設定した臨時符号化率の情報をＲＲＣ制御部１３９へ通知する。
【００３４】
ＲＲＣ制御部１３９は、端末装置３００がＵＲＬＬＣデータを送信するタイミングが到来すると、臨時符号化率の情報を含む符号化率制御情報をＲＲＣメッセージとして端末装置３００へ送信する。
【００３５】
メモリ１４０は、例えばＲＡＭ（Random  Access  Memory）又はＲＯＭ（Read  Only  Memory）などを備え、プロセッサ１３０が処理を実行するために使用する情報を記憶する。
【００３６】
無線通信部１５０は、変調部１３２から出力される送信信号に対してＤ／Ａ（Digital/Analog）変換及びアップコンバートなどの所定の無線送信処理を施し、アンテナを介して送信する。同様に、無線通信部１５０は、ＲＲＣ制御部１３９から出力される符号化率制御情報に対してＤ／Ａ変換及びアップコンバートなどの所定の無線送信処理を施し、アンテナを介して送信する。また、無線通信部１５０は、アンテナを介して信号を受信し、受信信号に対してダウンコンバート及びＡ／Ｄ（Analog/Digital）変換などの所定の無線受信処理を施す。
【００３７】
図３は、実施の形態１に係る基地局装置２００の構成を示すブロック図である。基地局装置２００は、ＵＲＬＬＣデータを送受信する基地局装置である。図３に示す基地局装置２００は、無線通信部２１０、プロセッサ２２０、メモリ２３０、上位Ｉ／Ｆ部２４０及び基地局間Ｉ／Ｆ部２５０を有する。
【００３８】
無線通信部２１０は、アンテナを介して信号を受信し、受信信号に対してダウンコンバート及びＡ／Ｄ変換などの所定の無線受信処理を施す。また、無線通信部２１０は、変調部２２５から出力される送信信号に対してＤ／Ａ変換及びアップコンバートなどの所定の無線送信処理を施し、アンテナを介して送信する。同様に、無線通信部２１０は、ＲＲＣ制御部２２７から出力されるＲＲＣメッセージに対してＤ／Ａ変換及びアップコンバートなどの所定の無線送信処理を施し、アンテナを介して送信する。
【００３９】
プロセッサ２２０は、例えばＣＰＵ、ＦＰＧＡ又はＤＳＰなどを備え、基地局装置２００の全体を統括制御する。具体的には、プロセッサ２２０は、復調部２２１、復号部２２２、ＴＰＣコマンド生成部２２３、符号化部２２４、変調部２２５、スケジューリング部２２６、ＲＲＣ制御部２２７及びＵＲＬＬＣ情報通知部２２８を有する。
【００４０】
復調部２２１は、無線通信部２１０によって受信された受信信号を復調し、得られた復調データを復号部２２２へ出力する。
【００４１】
復号部２２２は、復調部２２１から出力される復調データを復号し、復号結果のＵＲＬＬＣデータを上位Ｉ／Ｆ部２４０へ出力する。また、復号部２２２は、復号結果に含まれるＤＬの回線品質情報をスケジューリング部２２６へ出力し、ＤＬのスケジューリングを依頼する。
【００４２】
ＴＰＣコマンド生成部２２３は、ＵＲＬＬＣデータの受信品質を測定し、受信品質に基づいて端末装置３００からのＵＲＬＬＣデータの送信電力を増加又は減少させるＴＰＣコマンドを生成する。すなわち、ＴＰＣコマンド生成部２２３は、ＵＲＬＬＣデータの受信品質が所定品質未満である場合には、ＵＲＬＬＣデータの送信電力を増加させるＴＰＣコマンドを生成し、ＵＲＬＬＣデータの受信品質が所定品質以上である場合には、ＵＲＬＬＣデータの送信電力を減少させるＴＰＣコマンドを生成する。
【００４３】
符号化部２２４は、上位Ｉ／Ｆ部２４０によって上位装置から受信されたＵＲＬＬＣデータを符号化し、得られた符号化データを変調部２２５へ出力する。また、符号化部２２４は、ＴＰＣコマンド生成部２２３によって生成されるＴＰＣコマンドを符号化する。符号化部２２４は、スケジューリング部２２６によって指定される符号化率でＵＲＬＬＣデータ及びＴＰＣコマンドを符号化する。
【００４４】
変調部２２５は、符号化部２２４から出力される符号化データを変調することにより送信信号を生成し、無線通信部２１０へ出力する。また、変調部２２５は、符号化されたＴＰＣコマンドを変調する。変調部２２５は、スケジューリング部２２６によって指定される変調方式で符号化データ及びＴＰＣコマンドを変調する。
【００４５】
スケジューリング部２２６は、ダウンリンク（ＤＬ）のスケジューリングを実行する。具体的には、スケジューリング部２２６は、端末装置３００へ送信するＵＲＬＬＣデータの符号化率及び変調方式を決定するＤＬのスケジューリングを実行し、決定した符号化率を符号化部２２４へ通知するとともに、決定した変調方式を変調部２２５へ通知する。なお、スケジューリング部２２６は、端末装置３００から報告されるＤＬの回線品質情報に基づいて、ＤＬの符号化率及び変調方式を決定する。
【００４６】
ＲＲＣ制御部２２７は、端末装置３００がＵＲＬＬＣデータを送信するタイミングなどのあらかじめ規定された情報を例えば上位装置から取得し、取得した情報をＲＲＣメッセージとして端末装置３００へ送信する。また、ＲＲＣ制御部２２７は、端末装置３００がＵＲＬＬＣデータを送信するタイミングをＵＲＬＬＣ情報通知部２２８へ通知する。
【００４７】
ＵＲＬＬＣ情報通知部２２８は、ＲＲＣ制御部２２７から通知されるＵＲＬＬＣデータの送信タイミングなどのスケジューリング情報を含むＵＲＬＬＣ情報を生成し、基地局間Ｉ／Ｆ部２５０を経由して基地局装置１００へ送信する。
【００４８】
メモリ２３０は、例えばＲＡＭ又はＲＯＭなどを備え、プロセッサ２２０が処理を実行するために使用する情報を記憶する。
【００４９】
上位Ｉ／Ｆ部２４０は、例えばコアネットワークに属する上位装置に接続し、上位装置との間でＵＲＬＬＣデータを送受信する。
【００５０】
基地局間Ｉ／Ｆ部２５０は、基地局装置１００を含む他の基地局装置と接続し、基地局装置間で情報を送受信する。具体的には、基地局間Ｉ／Ｆ部２５０は、ＵＲＬＬＣデータのスケジューリング情報を含むＵＲＬＬＣ情報を基地局装置１００へ送信する。
【００５１】
図４は、実施の形態１に係る端末装置３００の構成を示すブロック図である。端末装置３００は、基地局装置１００との間で通常データを送受信し、基地局装置２００との間でＵＲＬＬＣデータを送受信する。図４に示す端末装置３００は、プロセッサ３１０、メモリ３２０及び無線通信部３３０を有する。
【００５２】
プロセッサ３１０は、例えばＣＰＵ、ＦＰＧＡ又はＤＳＰなどを備え、端末装置３００の全体を統括制御する。具体的には、プロセッサ３１０は、通常データ処理部３０１、符号化部３０２、変調部３０３、復調部３０４、復号部３０５、送信電力制御部３０６、ＲＲＣ制御部３０７、ＵＲＬＬＣ処理部３１１、符号化部３１２、変調部３１３、復調部３１４及び復号部３１５を有する。
【００５３】
通常データ処理部３０１は、ＵＬの通常データを生成したり、ＤＬの通常データを用いて種々のアプリケーションの処理をしたりする。また、通常データ処理部３０１は、基地局装置１００から送信されるＵＬグラントを取得し、ＵＬの通常データの符号化率及び変調方式をそれぞれ符号化部３０２及び変調部３０３に設定する。ただし、通常データ処理部３０１は、基地局装置１００から送信される符号化率制御情報を取得した場合には、臨時符号化率を符号化部３０２に設定する。さらに、通常データ処理部３０１は、基地局装置１００から送信されるＴＰＣコマンドを取得し、通常データの送信電力の増減を送信電力制御部３０６に指示する。
【００５４】
通常データ処理部３０１は、ＵＬの通常データを送信するのに先立って、ＳＲを生成する。このとき、通常データ処理部３０１は、端末装置３００の最大送信電力、ＵＲＬＬＣ送信電力及び通常データ送信電力の情報を収集し、これらの送信電力情報をＳＲと共に送信する。ＵＲＬＬＣ送信電力の情報は、ＵＲＬＬＣ処理部３１１から取得することができる。
【００５５】
符号化部３０２は、通常データ処理部３０１によって生成される通常データを符号化し、得られた符号化データを変調部３０３へ出力する。また、符号化部３０２は、通常データ処理部３０１によって生成されるＳＲ及び送信電力情報を符号化する。符号化部３０２は、通常データ処理部３０１によって指定される符号化率で通常データを符号化する。すなわち、符号化部３０２は、ＵＬグラントによって通知される符号化率、又は符号化率制御情報によって通知される臨時符号化率で通常データを符号化する。
【００５６】
変調部３０３は、符号化部３０２から出力される符号化データを変調することにより送信信号を生成する。また、変調部３０３は、符号化されたＳＲ及び送信電力情報を変調する。変調部３０３は、通常データ処理部３０１によって指定される変調方式で符号化データを変調する。
【００５７】
復調部３０４は、無線通信部３３０によって受信された受信信号を復調し、得られた復調データを復号部３０５へ出力する。
【００５８】
復号部３０５は、復調部３０４から出力される復調データを復号し、復号結果の通常データを通常データ処理部３０１へ出力する。また、復号部３０５は、復号結果に含まれるＵＬグラント及びＴＰＣコマンドを通常データ処理部３０１へ出力する。
【００５９】
送信電力制御部３０６は、変調部３０３によって変調される通常データ及び変調部３１３によって変調されるＵＲＬＬＣデータの送信電力を制御する。このとき、送信電力制御部３０６は、通常データ及びＵＲＬＬＣデータの送信電力の合計が最大送信電力を超えないように制御する。具体的には、送信電力制御部３０６は、通常データ処理部３０１及びＵＲＬＬＣ処理部３１１から、ＴＰＣコマンドに従った送信電力の増減の指示を受け、通常データ及びＵＲＬＬＣデータそれぞれの送信電力を独立に増減させる。
【００６０】
ただし、送信電力制御部３０６は、通常データ及びＵＲＬＬＣデータを同時に送信する際に、ＴＰＣコマンドに従うと送信電力の合計が最大送信電力を超えると判断した場合には、ＵＲＬＬＣデータの送信電力を優先して制御する。すなわち、送信電力制御部３０６は、ＵＲＬＬＣ処理部３１１からの指示に従ってＵＲＬＬＣデータの送信電力を増加させることにより、送信電力の合計が最大送信電力を超える場合には、通常データの送信電力を削減する。換言すれば、送信電力制御部３０６は、最大送信電力からＵＲＬＬＣデータの送信電力を減算した差の電力を超えない範囲で、通常データの送信電力を制御する。送信電力制御部３０６は、送信電力が制御された通常データ及びＵＲＬＬＣデータを無線通信部３３０へ出力する。
【００６１】
ＲＲＣ制御部３０７は、基地局装置１００、２００から送信されるＲＲＣメッセージを受信する。特に、ＲＲＣ制御部３０７は、基地局装置１００から送信される符号化率制御情報を受信し、臨時符号化率を通常データ処理部３０１へ通知する。また、ＲＲＣ制御部３０７は、基地局装置２００との間でＵＲＬＬＣデータ送受信のための接続を確立した際に、あらかじめ規定されたＵＲＬＬＣデータの送信タイミングなどの情報を受信し、ＵＲＬＬＣ処理部３１１へ通知する。
【００６２】
ＵＲＬＬＣ処理部３１１は、ＵＬのＵＲＬＬＣデータを生成したり、ＤＬのＵＲＬＬＣデータを用いて種々のアプリケーションの処理をしたりする。また、ＵＲＬＬＣ処理部３１１は、基地局装置２００から送信されるＲＲＣメッセージを取得し、ＵＬのＵＲＬＬＣデータの符号化率及び変調方式をそれぞれ符号化部３１２及び変調部３１３に設定する。さらに、ＵＲＬＬＣ処理部３１１は、基地局装置２００から送信されるＴＰＣコマンドを取得し、ＵＲＬＬＣデータの送信電力の増減を送信電力制御部３０６に指示する。
【００６３】
符号化部３１２は、ＵＲＬＬＣ処理部３１１よって生成されるＵＲＬＬＣデータを符号化し、得られた符号化データを変調部３１３へ出力する。符号化部３１２は、ＵＲＬＬＣ処理部３１１によって指定される符号化率でＵＲＬＬＣデータを符号化する。
【００６４】
変調部３１３は、符号化部３１２から出力される符号化データを変調することにより送信信号を生成する。変調部３１３は、ＵＲＬＬＣ処理部３１１によって指定される変調方式で符号化データを変調する。
【００６５】
復調部３１４は、無線通信部３３０によって受信された受信信号を復調し、得られた復調データを復号部３１５へ出力する。
【００６６】
復号部３１５は、復調部３１４から出力される復調データを復号し、復号結果のＵＲＬＬＣデータをＵＲＬＬＣ処理部３１１へ出力する。また、復号部３１５は、復号結果に含まれるＴＰＣコマンドをＵＲＬＬＣ処理部３１１へ出力する。
【００６７】
メモリ３２０は、例えばＲＡＭ又はＲＯＭなどを備え、プロセッサ３１０が処理を実行するために使用する情報を記憶する。
【００６８】
無線通信部３３０は、送信電力制御部３０６から出力される通常データ及びＵＲＬＬＣデータに対してＤ／Ａ変換及びアップコンバートなどの所定の無線送信処理を施し、アンテナを介して送信する。また、無線通信部３３０は、アンテナを介して信号を受信し、受信信号に対してダウンコンバート及びＡ／Ｄ変換などの所定の無線受信処理を施す。そして、無線通信部３３０は、通常データを含む受信信号を復調部３０４へ出力し、ＵＲＬＬＣデータを含む受信信号を復調部３１４へ出力する。さらに、無線通信部３３０は、符号化率制御情報を含むＲＲＣメッセージをＲＲＣ制御部３０７へ出力する。
【００６９】
次いで、上記のように構成された無線通信システムにおけるＵＬの通信方法について、図５に示すシーケンス図を参照しながら説明する。
【００７０】
基地局装置２００と端末装置３００がＵＲＬＬＣデータの送受信のために接続した場合には、ＵＲＬＬＣデータのスケジューリング情報を含むＵＲＬＬＣ情報が基地局装置２００から基地局装置１００へ送信される（ステップＳ１０１）。ＵＲＬＬＣデータの送信タイミングは、あらかじめ規定された周期的なタイミングであるため、基地局装置１００は、ＵＬのＵＲＬＬＣデータの送信タイミングをＵＲＬＬＣ情報から特定することができる。
【００７１】
端末装置３００は、ＵＬで送信すべき通常データが発生した場合に、ＳＲを基地局装置１００へ送信する（ステップＳ１０２）。このとき、端末装置３００は、端末装置３００の最大送信電力、ＵＲＬＬＣデータの送信に使用するＵＲＬＬＣ送信電力、及び通常データの送信に本来使用すべき通常データ送信電力の情報を含む送信電力情報をＳＲと共に送信する。
【００７２】
ＳＲを受信する基地局装置１００は、ＵＬのスケジューリングを実行し、ＵＬの通常データの符号化率及び変調方式を決定する。そして、基地局装置１００は、決定した符号化率及び変調方式を含むＵＬグラントを生成し、端末装置３００へ送信する（ステップＳ１０３）。
【００７３】
ＵＬグラントを受信する端末装置３００は、ＵＬグラントに従って通常データの符号化及び変調を実行し、通常データを基地局装置１００へ送信する（ステップＳ１０４）。このタイミングでは、端末装置３００は、通常データのみを送信し、ＵＲＬＬＣデータは送信しないため、通常データの符号化率及び変調方式はＵＬグラントに従った符号化率及び変調方式であり、通常データの送信電力はＴＰＣコマンドに従った送信電力である。
【００７４】
そして、ＵＲＬＬＣ情報に基づいて、ＵＲＬＬＣデータの送信タイミングが到来したことを基地局装置１００が検知すると、基地局装置１００は、ＳＲと共に受信した送信電力情報に基づいて臨時符号化率を設定する。そして、基地局装置１００は、臨時符号化率の情報を含む符号化率制御情報をＲＲＣメッセージとして端末装置３００へ送信する（ステップＳ１０５）。
【００７５】
端末装置３００は、符号化率制御情報を受信すると、通常データの符号化率を臨時符号化率に設定する。また、端末装置３００は、ＵＲＬＬＣデータの送信電力を優先的に確保しつつ、ＴＰＣコマンドに従った送信電力制御では送信電力の合計が最大送信電力を超える場合には、通常データの送信電力を削減する。そして、端末装置３００は、通常データを基地局装置１００へ送信すると同時に（ステップＳ１０６）、ＵＲＬＬＣデータを基地局装置２００へ送信する（ステップＳ１０７）。
【００７６】
このように、通常データとＵＲＬＬＣデータが端末装置３００から同時に送信されるタイミングでは、基地局装置１００が通常データの臨時符号化率を設定し、端末装置３００がＵＲＬＬＣデータの送信電力を優先的に確保しつつ、通常データの符号化率を臨時符号化率に設定する。このため、通常データとＵＲＬＬＣデータの送信電力の合計が最大送信電力を超える場合には、通常データの送信電力が削減され、ＵＲＬＬＣデータの送信電力が確保される。結果として、ＵＲＬＬＣデータに要求される信頼性を満たすことができる。また、通常データが臨時符号化率で符号化されるため、通常データの誤り耐性が向上し、送信電力が削減されても通常データの受信品質低下を抑制することができる。
【００７７】
次に、実施の形態１に係る基地局装置１００の動作について、図６に示すフロー図を参照しながら説明する。
【００７８】
基地局装置２００から送信されるＵＲＬＬＣ情報は、基地局間Ｉ／Ｆ部１２０によって受信され（ステップＳ２０１）、ＵＲＬＬＣ情報取得部１３７によって取得される。これにより、端末装置３００がＵＲＬＬＣデータを送信するタイミングなどの情報が特定可能になる。
【００７９】
基地局装置１００は通常データを送受信する基地局装置であるため、ＵＬの通常データの送信を要求する端末装置３００からのＳＲが待機される（ステップＳ２０２）。そして、端末装置３００において送信すべき通常データが発生すると、端末装置３００から送信されたＳＲが無線通信部１５０によって受信される。このとき、ＳＲと共に、端末装置３００の最大送信電力、ＵＲＬＬＣ送信電力及び通常データ送信電力を含む送信電力情報も受信される。
【００８０】
受信されたＳＲが復調部１３３及び復号部１３４を経て通常データのＳＲが取得されると（ステップＳ２０２Ｙｅｓ）、スケジューリング部１３６によって、ＵＬのスケジューリングが実行される（ステップＳ２０３）。具体的には、スケジューリング部１３６によって、ＵＬの通常データの符号化率及び変調方式が決定される。そして、スケジューリング部１３６によって、ＵＬの通常データの符号化率及び変調方式を含むＵＬグラントが生成され、ＵＬグラントは、符号化部１３１、変調部１３２及び無線通信部１５０を経由して端末装置３００へ送信される（ステップＳ２０４）。
【００８１】
また、通常データ及びＵＲＬＬＣデータが同時に送信される場合に備えて、臨時符号化率設定部１３８によって、臨時符号化率が算出される（ステップＳ２０５）。具体的には、臨時符号化率設定部１３８によって、送信電力情報に基づく臨時符号化率が算出される。すなわち、例えば最大送信電力をＰmax、ＵＲＬＬＣ送信電力をＰur、通常データ送信電力をＰemとすると、（Ｐmax−Ｐur）／Ｐemの値に応じた臨時符号化率が算出される。
【００８２】
ここで、ＵＲＬＬＣ送信電力Ｐurと通常データ送信電力Ｐemとの合計が最大送信電力Ｐmax以下であれば、（Ｐmax−Ｐur）／Ｐemの値は１以上であり、この場合にはＴＰＣコマンドに従って端末装置３００におけるＵＲＬＬＣデータ及び通常データの送信電力を設定することが可能である。したがって、通常データの送信電力が削減されることもないため、臨時符号化率設定部１３８によって、スケジューリング部１３６によって決定された符号化率と同じ符号化率が臨時符号化率に設定される。
【００８３】
一方、ＵＲＬＬＣ送信電力Ｐurと通常データ送信電力Ｐemとの合計が最大送信電力Ｐmaxより大きいと、（Ｐmax−Ｐur）／Ｐemの値は１未満であり、この場合には端末装置３００においてＴＰＣコマンドに従った送信電力制御は困難である。したがって、通常データの送信電力が削減されると判断されるため、臨時符号化率設定部１３８によって、スケジューリング部１３６によって決定された符号化率よりも小さく、（Ｐmax−Ｐur）／Ｐemの値に応じた臨時符号化率が算出される。ここでは、例えば（Ｐmax−Ｐur）／Ｐemの値が小さいほど小さい臨時符号化率が算出され、通常データの送信電力の削減量が大きいほど、冗長ビットの割合を増加させる臨時符号化率が算出される。
【００８４】
そして、臨時符号化率設定部１３８によって、ＵＲＬＬＣ情報に基づき、端末装置３００からのＵＲＬＬＣデータの送信タイミングが到来したか否かが判定される（ステップＳ２０６）。ＵＲＬＬＣデータの送信タイミングが到来していなければ（ステップＳ２０６Ｎｏ）、端末装置３００はＵＬグラントに応じて通常データのみを送信するため、無線通信部１５０によって、通常データが受信される（ステップＳ２０９）。この通常データは、スケジューリング部１３６が決定した符号化率及び変調方式で符号化及び変調されているため、復調部１３３及び復号部１３４によって対応する復調及び復号が実行される。
【００８５】
これに対して、ＵＲＬＬＣデータの送信タイミングが到来していれば（ステップＳ２０６Ｙｅｓ）、臨時符号化率を含む符号化率制御情報がＲＲＣ制御部１３９からＲＲＣメッセージとして送信され（ステップＳ２０７）、復号部１３４に臨時符号化率が設定される（ステップＳ２０８）。そして、符号化率制御情報を受信した端末装置３００から、臨時符号化率で符号化された通常データとＵＲＬＬＣデータが同時に送信され、無線通信部１５０によって通常データが受信される（ステップＳ２０９）。この通常データは、臨時符号化率で符号化されているため、通常データが復調部１３３によって復号された後、復号部１３４によって臨時符号化率に対応する復号が実行される。
【００８６】
このように、端末装置３００からの送信電力情報に基づいて臨時符号化率が算出され、端末装置３００が通常データとＵＲＬＬＣデータを同時に送信するタイミングでは、臨時符号化率に対応する復号が実行される。このため、端末装置３００が通常データの送信電力を削減してＵＲＬＬＣデータの送信電力を優先的に確保しても、通常データの受信品質低下を抑制することができる。
【００８７】
次に、実施の形態１に係る端末装置３００の動作について、図７に示すフロー図を参照しながら説明する。
【００８８】
通常データ処理部３０１においては、基地局装置１００へ送信すべき通常データの有無が監視され（ステップＳ３０１）、送信すべき通常データが発生すると（ステップＳ３０１Ｙｅｓ）、端末装置３００に関する送信電力情報が取得される（ステップＳ３０２）。具体的には、通常データ処理部３０１によって、端末装置３００の最大送信電力と、ＴＰＣコマンドに従った場合にＵＲＬＬＣデータの送信に使用されるＵＲＬＬＣ送信電力と、ＴＰＣコマンドに従った場合に通常データの送信に使用される通常データ送信電力との情報が収集される。
【００８９】
そして、送信電力情報と共に、ＵＬの通常データの送信を要求するＳＲが無線通信部３３０から基地局装置１００へ送信される（ステップＳ３０３）。ＳＲに対して、基地局装置１００からＵＬグラントが送信されるため、ＵＬグラントが無線通信部３３０によって受信される（ステップＳ３０４）。ＵＬグラントは、復調部３０４及び復号部３０５を経由して、通常データ処理部３０１へ入力され、通常データ処理部３０１によって、ＵＬグラントが指定する符号化率及び変調方式が符号化部３０２及び変調部３０３に設定される。
【００９０】
このとき、通常データ処理部３０１によって、ＲＲＣ制御部３０７において符号化率制御情報が受信されているか否かが判断される（ステップＳ３０５）。判断の結果、符号化率制御情報が受信されていなければ（ステップＳ３０５Ｎｏ）、ＵＲＬＬＣデータの送信タイミングが到来していないため、上記の符号化率及び変調方式が設定された符号化部３０２及び変調部３０３を経由した通常データが無線通信部３３０から送信される（ステップＳ３１０）。
【００９１】
一方、ステップＳ３０５の判断の結果、符号化率制御情報が受信されていれば（ステップＳ３０５Ｙｅｓ）、通常データ処理部３０１によって、符号化率制御情報に含まれる臨時符号化率が符号化部３０２に設定される（ステップＳ３０６）。また、符号化率制御情報が受信されている場合には、通常データとＵＲＬＬＣデータが同時に送信されるため、送信電力制御部３０６によって、ＵＲＬＬＣデータの送信電力を優先的に確保する送信電力制御が実行される（ステップＳ３０７）。すなわち、ＵＲＬＬＣデータについては、ＴＰＣコマンドに従った送信電力が確保され、通常データについては、端末装置３００の最大送信電力を超えない範囲でＴＰＣコマンドに従った送信電力が設定される。したがって、ＴＰＣコマンドに従った送信電力の合計が最大送信電力を超える場合には、送信電力制御部３０６によって、通常データの送信電力が削減される。
【００９２】
そして、臨時符号化率が設定された符号化部３０２及び変調部３０３を経由した通常データの送信電力が制御され、無線通信部３３０から送信される（ステップＳ３０８）。また、ここではＵＲＬＬＣデータの送信タイミングが到来しているため、ＵＲＬＬＣ処理部３１１によって生成されたＵＲＬＬＣデータは、符号化部３１２、変調部３１３及び送信電力制御部３０６を経由し、無線通信部３３０から送信される（ステップＳ３０９）。
【００９３】
このように、通常データとＵＲＬＬＣデータが同時に送信されるタイミングでは、通常データの符号化率が臨時符号化率に設定されるとともに、ＵＲＬＬＣデータの送信電力が優先的に確保される。このため、ＵＲＬＬＣデータに要求される信頼性を満たすことができるとともに、通常データの送信電力が削減された場合でも、通常データの受信品質低下を抑制することができる。
【００９４】
次に、端末装置３００の送信電力の推移の具体例について、図８を参照しながら説明する。図８においては、送信電力制御部３０６が設定する通常データ及びＵＲＬＬＣデータの送信電力の時間推移が示されている。図８において、端末装置３００の最大送信電力はＰmaxであるものとする。
【００９５】
図８に示すように、時刻Ｔ１から時刻Ｔ２、時刻Ｔ３から時刻Ｔ４、時刻Ｔ５から時刻Ｔ６及び時刻Ｔ７から時刻Ｔ８においては、それぞれ通常データ４０１、４０２、４０３、４０４が送信される。また、期間ｄ１、ｄ２、ｄ３は、ＵＲＬＬＣデータの送信タイミングであるため、これらの期間においては、それぞれＵＲＬＬＣデータ４１１、４１２、４１３が送信される。
【００９６】
通常データ及びＵＲＬＬＣデータの送信電力は、それぞれ独立に基地局装置１００、２００から送信されるＴＰＣコマンドによって制御される。通常データ又はＵＲＬＬＣデータの送信タイミングが重複しなければ、例えば通常データ４０２の送信電力Ｐem及びＵＲＬＬＣデータ４１１の送信電力Ｐurのように、ＴＰＣコマンドによって制御される送信電力が最大送信電力Ｐmaxを超えることはない。
【００９７】
これに対して、時刻Ｔ５から時刻Ｔ６においては、通常データ４０３が送信されると同時に、期間ｄ２においてＵＲＬＬＣデータ４１２が送信される。そして、期間ｄ２においては、ＴＰＣコマンドによって制御される送信電力の合計が最大送信電力Ｐmaxを超える。このため、送信電力制御部３０６によって、ＵＲＬＬＣデータ４１２の送信電力が優先的に確保されるとともに、通常データ４０３の送信電力が期間ｄ２において削減される。これにより、ＵＲＬＬＣデータ４１２の信頼性を損なうことなく、通常データ４０３とＵＲＬＬＣデータ４１２の送信電力の合計を最大送信電力Ｐmax以下に抑えることができる。また、期間ｄ２においては、通常データ４０３の符号化率が臨時符号化率に設定されるため、通常データ４０３の受信品質低下を抑制することができる。
【００９８】
また、時刻Ｔ７から時刻Ｔ８においては、通常データ４０４が送信されると同時に、期間ｄ３においてＵＲＬＬＣデータ４１３が送信される。ただし、期間ｄ３においては、ＴＰＣコマンドによって制御される送信電力の合計が最大送信電力Ｐmaxを超えない。このため、送信電力制御部３０６によって、通常データ４０４及びＵＲＬＬＣデータ４１３の送信電力がＴＰＣコマンドに従った送信電力に設定される。また、期間ｄ３においては、通常データ４０４の符号化率が臨時符号化率に設定されるが、この臨時符号化率は、基地局装置１００からＵＬグラントによって指定される符号化率と同じである。したがって、期間ｄ３においても通常データの符号化率が小さくなることはなく、通常データの送信効率が低下することはない。
【００９９】
以上のように、本実施の形態によれば、通常データを送受信する基地局装置は、ＵＲＬＬＣデータの送信タイミングにおいて、端末装置の送信電力情報に応じた臨時符号化率を端末装置へ通知する。そして、端末装置は、通常データ及びＵＲＬＬＣデータを同時に送信する場合に、臨時符号化率によって通常データを符号化し、ＵＲＬＬＣデータの送信電力を確保し、必要に応じて通常データの送信電力を削減する。このため、通常データとＵＲＬＬＣデータの送信電力の合計が最大送信電力を超える場合には、通常データの送信電力が削減され、ＵＲＬＬＣデータの送信電力が確保される。結果として、ＵＲＬＬＣデータに要求される信頼性を満たすことができる。また、通常データが臨時符号化率で符号化されるため、通常データの誤り耐性が向上し、送信電力が削減されても通常データの受信品質低下を抑制することができる。
【０１００】
（実施の形態２）
上記実施の形態１においては、ＵＲＬＬＣデータの送信タイミングが到来するたびに、基地局装置１００から端末装置３００へ臨時符号化率の情報を含む符号化率制御情報が送信されるものとした。実施の形態２においては、通常データとＵＲＬＬＣデータが同時に送信されるタイミングで使用される符号化率のテーブルがあらかじめ基地局装置１００から端末装置３００へされる場合について説明する。
【０１０１】
実施の形態２に係る無線通信システムの構成は、実施の形態１（図１）と同様であるため、その説明を省略する。また、実施の形態２に係る基地局装置２００の構成も、実施の形態１（図３）と同様であるため、その説明を省略する。
【０１０２】
図９は、実施の形態２に係る基地局装置１００の構成を示すブロック図である。図９において、図２と同じ部分には同じ符号を付し、その説明を省略する。図９に示す基地局装置１００は、図２に示す基地局装置１００の復号部１３４、臨時符号化率設定部１３８及びＲＲＣ制御部１３９に代えて、復号部１６３、符号化率テーブル生成部１６１及びＲＲＣ制御部１６２を有する。
【０１０３】
符号化率テーブル生成部１６１は、ＵＲＬＬＣ情報取得部１３７によってＵＲＬＬＣ情報が取得されると、端末装置３００の送信電力から求まるパラメータに対応する符号化率を示す符号化率テーブルを生成する。具体的には、符号化率テーブル生成部１６１は、端末装置３００の最大送信電力、ＵＲＬＬＣ送信電力及び通常データ送信電力から求まるパラメータに対応付けて符号化率を記憶する符号化率テーブルを生成する。
【０１０４】
すなわち、符号化率テーブル生成部１６１は、例えば図１０に示すように、最大送信電力Ｐmax、ＵＲＬＬＣ送信電力Ｐur及び通常データ送信電力Ｐemから求まる（Ｐmax−Ｐur）／Ｐemの値に符号化率を対応付けた符号化率テーブルを生成する。ここで、ＵＲＬＬＣ送信電力Ｐurと通常データ送信電力Ｐemとの合計が最大送信電力Ｐmax以下であれば、（Ｐmax−Ｐur）／Ｐemの値は１以上であり、この場合の符号化率は符号化率テーブルには含まれない。一方、ＵＲＬＬＣ送信電力Ｐurと通常データ送信電力Ｐemとの合計が最大送信電力Ｐmaxより大きいと、（Ｐmax−Ｐur）／Ｐemの値は１未満であり、この場合の符号化率が符号化率テーブルに含まれる。そして、図１０に示す例では、（Ｐmax−Ｐur）／Ｐemの値が小さいほど小さい符号化率が記憶されている。
【０１０５】
ＲＲＣ制御部１６２は、符号化率テーブル生成部１６１によって符号化率テーブルが生成されると、符号化率テーブルの情報を含むテーブル情報をＲＲＣメッセージとして端末装置３００へ送信する。すなわち、ＲＲＣ制御部１６２は、基地局装置２００からＵＲＬＬＣ情報を取得して符号化率テーブルが生成された場合に、テーブル情報を端末装置３００へ送信する。
【０１０６】
復号部１６３は、復調部１３３から出力される復調データを復号し、復号結果の通常データを上位Ｉ／Ｆ部１１０へ出力する。また、復号部１６３は、復号結果に含まれるＳＲをスケジューリング部１３６へ出力し、ＵＬのスケジューリングを依頼する。復号部１６３は、通常、スケジューリング部１３６が決定したＵＬの符号化率に基づいて復調データを復号するが、通常データがＵＲＬＬＣデータと同時に送信される場合には、符号化率テーブル生成部１６１が生成した符号化率テーブルから通常データの符号化率を読み出し、ＵＲＬＬＣデータと同時に送信される通常データを、読み出した符号化率に基づいて復号する。このとき、復号部１６３は、ＳＲと共に受信される送信電力情報から（Ｐmax−Ｐur）／Ｐemの値を算出し、算出した値に対応する符号化率を符号化率テーブルから読み出す。
【０１０７】
図１１は、実施の形態２に係る端末装置３００の構成を示すブロック図である。図１１において、図４と同じ部分には同じ符号を付し、その説明を省略する。図１１に示す端末装置３００は、図４に示す端末装置３００の通常データ処理部３０１及びＲＲＣ制御部３０７に代えて、通常データ処理部３４２及びＲＲＣ制御部３４１を有する。
【０１０８】
ＲＲＣ制御部３４１は、基地局装置１００、２００から送信されるＲＲＣメッセージを受信する。特に、ＲＲＣ制御部３４１は、基地局装置１００から送信されるテーブル情報を受信し、符号化率テーブルを通常データ処理部３４２へ出力する。また、ＲＲＣ制御部３４１は、基地局装置２００との間でＵＲＬＬＣデータ送受信のための接続を確立した際に、あらかじめ規定されたＵＲＬＬＣデータの送信タイミングなどの情報を受信し、ＵＲＬＬＣ処理部３１１へ通知する。
【０１０９】
通常データ処理部３４２は、ＵＬの通常データを生成したり、ＤＬの通常データを用いて種々のアプリケーションの処理をしたりする。また、通常データ処理部３４２は、基地局装置１００から送信されるＵＬグラントを取得し、ＵＬの通常データの符号化率及び変調方式をそれぞれ符号化部３０２及び変調部３０３に設定する。ただし、通常データ処理部３４２は、通常データとＵＲＬＬＣデータが同時に送信される場合には、符号化率テーブルに従って符号化部３０２に設定する符号化率を変更する。さらに、通常データ処理部３４２は、基地局装置１００から送信されるＴＰＣコマンドを取得し、通常データの送信電力の増減を送信電力制御部３０６に指示する。
【０１１０】
通常データ処理部３４２は、ＵＬの通常データを送信するのに先立って、ＳＲを生成する。このとき、通常データ処理部３４２は、端末装置３００の最大送信電力、ＵＲＬＬＣ送信電力及び通常データ送信電力の情報を収集し、これらの送信電力情報をＳＲと共に送信する。ＵＲＬＬＣ送信電力の情報は、ＵＲＬＬＣ処理部３１１から取得することができる。
【０１１１】
次いで、上記のように構成された無線通信システムにおけるＵＬの通信方法について、図１２に示すシーケンス図を参照しながら説明する。図１２において、図５と同じ部分には同じ符号を付す。
【０１１２】
基地局装置２００と端末装置３００がＵＲＬＬＣデータの送受信のために接続した場合には、ＵＲＬＬＣデータのスケジューリング情報を含むＵＲＬＬＣ情報が基地局装置２００から基地局装置１００へ送信される（ステップＳ１０１）。
【０１１３】
ＵＲＬＬＣ情報を受信する基地局装置１００は、端末装置３００の送信電力から求まるパラメータに対応する符号化率を示す符号化率テーブルを生成する。すなわち、端末装置３００の最大送信電力、ＵＲＬＬＣ電力及び通常データ電力から求められる値に対応付けて通常データの符号化に使用する符号化率を記憶する符号化率テーブルが生成される。そして、符号化率テーブルの情報を含むテーブル情報が、基地局装置１００から端末装置３００へ送信される（ステップＳ１５１）。
【０１１４】
端末装置３００は、テーブル情報を受信し、符号化率テーブルを保持する。そして、端末装置３００は、ＵＬで送信すべき通常データが発生した場合に、ＳＲを基地局装置１００へ送信する（ステップＳ１０２）。このとき、端末装置３００は、端末装置３００の最大送信電力、ＵＲＬＬＣ送信電力及び通常データ送信電力の情報を含む送信電力情報をＳＲと共に送信する。
【０１１５】
ＳＲを受信する基地局装置１００は、ＵＬのスケジューリングを実行し、ＵＬの通常データの符号化率及び変調方式を決定する。そして、基地局装置１００は、決定した符号化率及び変調方式を含むＵＬグラントを生成し、端末装置３００へ送信する（ステップＳ１０３）。
【０１１６】
ＵＬグラントを受信する端末装置３００は、ＵＬグラントに従って通常データの符号化及び変調を実行し、通常データを基地局装置１００へ送信する（ステップＳ１０４）。このタイミングでは、端末装置３００は、通常データのみを送信し、ＵＲＬＬＣデータは送信しないため、通常データの符号化率及び変調方式はＵＬグラントに従った符号化率及び変調方式であり、通常データの送信電力はＴＰＣコマンドに従った送信電力である。
【０１１７】
そして、端末装置３００は、ＵＲＬＬＣデータの送信タイミングが到来すると、符号化率テーブルに基づいて、通常データの符号化率を変更する（ステップＳ１５２）。すなわち、端末装置３００は、最大送信電力、ＵＲＬＬＣ送信電力及び通常データ送信電力からパラメータを算出し、算出したパラメータに対応する符号化率を符号化率テーブルから読み出して通常データの符号化率とする。
【０１１８】
また、端末装置３００は、ＵＲＬＬＣデータの送信電力を優先的に確保しつつ、ＴＰＣコマンドに従った送信電力制御では送信電力の合計が最大送信電力を超える場合には、通常データの送信電力を削減する。そして、端末装置３００は、通常データを基地局装置１００へ送信すると同時に（ステップＳ１０６）、ＵＲＬＬＣデータを基地局装置２００へ送信する（ステップＳ１０７）。
【０１１９】
このように、通常データとＵＲＬＬＣデータが端末装置３００から同時に送信されるタイミングでは、端末装置３００がＵＲＬＬＣデータの送信電力を優先的に確保しつつ、通常データの符号化率を符号化率テーブルに従って変更する。このため、通常データとＵＲＬＬＣデータの送信電力の合計が最大送信電力を超える場合には、通常データの送信電力が削減され、ＵＲＬＬＣデータの送信電力が確保される。結果として、ＵＲＬＬＣデータに要求される信頼性を満たすことができる。また、通常データが符号化率テーブルに従った符号化率で符号化されるため、通常データの誤り耐性が向上し、送信電力が削減されても通常データの受信品質低下を抑制することができる。
【０１２０】
次に、実施の形態２に係る基地局装置１００の動作について、図１３に示すフロー図を参照しながら説明する。図１３において、図６と同じ部分には同じ符号を付し、その詳しい説明を省略する。
【０１２１】
基地局装置２００から送信されるＵＲＬＬＣ情報は、基地局間Ｉ／Ｆ部１２０によって受信され（ステップＳ２０１）、ＵＲＬＬＣ情報取得部１３７によって取得される。そして、符号化率テーブル生成部１６１によって、端末装置３００の送信電力に関するパラメータと符号化率とを対応付ける符号化率テーブルが生成される（ステップＳ２５１）。具体的には、端末装置３００の最大送信電力Ｐmax、ＵＲＬＬＣ送信電力Ｐur及び通常データ送信電力Ｐemから求まる（Ｐmax−Ｐur）／Ｐemの値に符号化率を対応付けた符号化率テーブルが生成される。この符号化率テーブルにおいては、例えば（Ｐmax−Ｐur）／Ｐemの値が小さいほど小さい符号化率が記憶されている。したがって、ＵＲＬＬＣの送信電力を優先的に確保した場合に通常データの送信電力として使用可能な（Ｐmax−Ｐur）が小さく、ＴＰＣコマンドに従った通常データ送信電力Ｐemが大きいほど、冗長ビットの割合を大きくして通常データの誤り耐性を向上させる。換言すれば、ＵＲＬＬＣデータの送信電力を優先的に確保する場合の通常データの送信電力の削減量が大きいほど、通常データの符号化率を小さくして誤り耐性を向上させる。
【０１２２】
符号化率テーブルが生成されると、ＲＲＣ制御部１６２によって、符号化率テーブルの情報を含むテーブル情報がＲＲＣメッセージとして送信される（ステップＳ２５２）。したがって、テーブル情報は、ＵＲＬＬＣデータの送信タイミングが決定又は変更され、ＵＲＬＬＣ情報がＵＲＬＬＣ情報取得部１３７によって取得された場合に送信される。
【０１２３】
その後、ＵＬの通常データの送信を要求する端末装置３００からのＳＲが待機される（ステップＳ２０２）。そして、端末装置３００において送信すべき通常データが発生すると、端末装置３００から送信されたＳＲが無線通信部１５０によって受信される。このとき、ＳＲと共に、端末装置３００の最大送信電力、ＵＲＬＬＣ送信電力及び通常データ送信電力を含む送信電力情報も受信される。
【０１２４】
受信されたＳＲが復調部１３３及び復号部１６３を経て通常データのＳＲが取得されると（ステップＳ２０２Ｙｅｓ）、スケジューリング部１３６によって、ＵＬのスケジューリングが実行される（ステップＳ２０３）。スケジューリングにより生成されたＵＬグラントは、符号化部１３１、変調部１３２及び無線通信部１５０を経由して端末装置３００へ送信される（ステップＳ２０４）。
【０１２５】
そして、復号部１６３によって、ＵＲＬＬＣ情報に基づき、端末装置３００からのＵＲＬＬＣデータの送信タイミングが到来したか否かが判定される（ステップＳ２０６）。ＵＲＬＬＣデータの送信タイミングが到来していなければ（ステップＳ２０６Ｎｏ）、端末装置３００はＵＬグラントに応じて通常データのみを送信するため、無線通信部１５０によって、通常データが受信される（ステップＳ２０９）。この通常データは、スケジューリング部１３６が決定した符号化率及び変調方式で符号化及び変調されているため、復調部１３３及び復号部１６３によって対応する復調及び復号が実行される。
【０１２６】
これに対して、ＵＲＬＬＣデータの送信タイミングが到来していれば（ステップＳ２０６Ｙｅｓ）、復号部１６３によって、端末装置３００の送信電力情報に対応する符号化率が符号化率テーブルから読み出され、復号に用いる符号化率として設定される（ステップＳ２５３）。すなわち、ＳＲと共に受信された送信電力情報から、（Ｐmax−Ｐur）／Ｐemの値が算出され、算出された値に対応する符号化率が符号化率テーブルから読み出され、復号部１６３に設定される。そして、端末装置３００から通常データとＵＲＬＬＣデータが同時に送信されると、無線通信部１５０によって通常データが受信される（ステップＳ２０９）。この通常データは、符号化率テーブルに従った符号化率で符号化されているため、通常データが復調部１３３によって復号された後、復号部１６３によって、設定済みの符号化率に対応する復号が実行される。
【０１２７】
このように、端末装置３００の送信電力に関するパラメータごとの符号化率を記憶する符号化率テーブルが生成され、端末装置３００が通常データとＵＲＬＬＣデータを同時に送信するタイミングでは、符号化率テーブルから読み出された符号化率に対応する復号が実行される。このため、端末装置３００が通常データの送信電力を削減してＵＲＬＬＣデータの送信電力を優先的に確保しても、通常データの受信品質低下を抑制することができる。
【０１２８】
次に、実施の形態２に係る端末装置３００の動作について、図１４に示すフロー図を参照しながら説明する。図１４において、図７と同じ部分には同じ符号を付し、その詳しい説明を省略する。
【０１２９】
基地局装置１００からＲＲＣメッセージとして送信されるテーブル情報は、無線通信部３３０によって受信される（ステップＳ３５１）。そして、テーブル情報は、ＲＲＣ制御部３４１によって取得され、符号化率テーブルが通常データ処理部３４２によって保持される。
【０１３０】
通常データ処理部３４２においては、基地局装置１００へ送信すべき通常データの有無が監視され（ステップＳ３０１）、送信すべき通常データが発生すると（ステップＳ３０１Ｙｅｓ）、端末装置３００に関する送信電力情報が取得される（ステップＳ３０２）。そして、送信電力情報と共に、ＵＬの通常データの送信を要求するＳＲが無線通信部３３０から基地局装置１００へ送信される（ステップＳ３０３）。ＳＲに対して、基地局装置１００からＵＬグラントが送信されるため、ＵＬグラントが無線通信部３３０によって受信される（ステップＳ３０４）。ＵＬグラントは、復調部３０４及び復号部３０５を経由して、通常データ処理部３４２へ入力され、通常データ処理部３４２によって、ＵＬグラントが指定する符号化率及び変調方式が符号化部３０２及び変調部３０３に設定される。
【０１３１】
このとき、通常データ処理部３４２によって、通常データがＵＲＬＬＣデータと同時に送信されるか否かが判断される（ステップＳ３５２）。判断の結果、ＵＲＬＬＣデータと同時に送信されない場合には（ステップＳ３５２Ｎｏ）、上記の符号化率及び変調方式が設定された符号化部３０２及び変調部３０３を経由した通常データが無線通信部３３０から送信される（ステップＳ３１０）。
【０１３２】
一方、ステップＳ３５２の判断の結果、ＵＲＬＬＣデータと同時に送信される場合には（ステップＳ３５２Ｙｅｓ）、通常データ処理部３４２によって、符号化率テーブルが参照され、送信電力に関するパラメータに対応する符号化率が符号化部３０２に設定される（ステップＳ３５３）。すなわち、（Ｐmax−Ｐur）／Ｐemの値に対応する符号化率が符号化率テーブルから読み出され、符号化部３０２に設定される。また、通常データとＵＲＬＬＣデータが同時に送信される場合には、送信電力制御部３０６によって、ＵＲＬＬＣデータの送信電力を優先的に確保する送信電力制御が実行される（ステップＳ３０７）。
【０１３３】
そして、符号化率テーブルから読み出された符号化率が設定された符号化部３０２及び変調部３０３を経由した通常データの送信電力が制御され、無線通信部３３０から送信される（ステップＳ３０８）。また、ここではＵＲＬＬＣデータの送信タイミングが到来しているため、ＵＲＬＬＣ処理部３１１によって生成されたＵＲＬＬＣデータは、符号化部３１２、変調部３１３及び送信電力制御部３０６を経由し、無線通信部３３０から送信される（ステップＳ３０９）。
【０１３４】
このように、通常データとＵＲＬＬＣデータが同時に送信されるタイミングでは、符号化率テーブルから読み出された符号化率で通常データが符号化されるとともに、ＵＲＬＬＣデータの送信電力が優先的に確保される。このため、ＵＲＬＬＣデータに要求される信頼性を満たすことができるとともに、通常データの送信電力が削減された場合でも、通常データの受信品質低下を抑制することができる。
【０１３５】
以上のように、本実施の形態によれば、通常データを送受信する基地局装置は、ＵＲＬＬＣ情報を他の基地局装置から受信すると、端末装置の送信電力に関するパラメータに対応付けて通常データの符号化率を記憶する符号化率テーブルを生成して端末装置へ通知する。そして、端末装置は、通常データ及びＵＲＬＬＣデータを同時に送信する場合に、符号化率テーブルから読み出される符号化率によって通常データを符号化し、ＵＲＬＬＣデータの送信電力を確保し、必要に応じて通常データの送信電力を削減する。このため、通常データとＵＲＬＬＣデータの送信電力の合計が最大送信電力を超える場合には、通常データの送信電力が削減され、ＵＲＬＬＣデータの送信電力が確保される。結果として、ＵＲＬＬＣデータに要求される信頼性を満たすことができる。また、通常データが符号化率テーブルから読み出された符号化率で符号化されるため、通常データの誤り耐性が向上し、送信電力が削減されても通常データの受信品質低下を抑制することができる。さらに、ＵＲＬＬＣデータの送信タイミングが到来するたびに通常データの符号化率を端末装置へ通知することなく、効率的に通常データの符号化率を変更することができる。
【０１３６】
なお、上記各実施の形態においては、通常データ及びＵＲＬＬＣデータが同時に送信される場合に、通常データの符号化率を変更するものとしたが、通常データの変調方式を変更しても良い。すなわち、上記各実施の形態では、通常データの送信電力が削減される場合に、通常データの符号化率を小さくして通常データの誤り耐性を向上したが、例えば変調方式を６４ＱＡＭ（Quadrature  Amplitude  Modulation）から１６ＱＡＭへ変更するなど、変調多値数を小さくして通常データの誤り耐性を向上することも可能である。変調方式を変更する場合には、上記実施の形態１と同様に、ＵＲＬＬＣデータの送信タイミングが到来するたびに、臨時の変調方式が基地局装置１００から端末装置３００へ通知されても良い。同様に、上記実施の形態２と同様に、端末装置３００の送信電力に関するパラメータと変調方式とを対応付けるテーブルが端末装置３００へ送信されても良い。
【０１３７】
このように、基地局装置１００は、通常データの符号化率及び変調方式の一方又は両方を含む送信方法を端末装置３００に指定し、端末装置３００は、通常データとＵＲＬＬＣデータを同時に送信する際に、基地局装置１００から指定された送信方法で通常データを送信する。これにより、端末装置３００がＵＲＬＬＣデータの送信電力を優先的に確保し、通常データの送信電力を削減しても、通常データの受信品質低下を抑制することができる。
【０１３８】
また、上記各実施の形態においては、優先度の高いデータとしてＵＲＬＬＣデータを例に挙げて説明したが、送信電力が優先的に確保されるのは必ずしもＵＲＬＬＣデータでなくても良い。要するに、二元接続において優先度に差がある２種類のデータが同時に送信される場合に、上記各実施の形態を適用することが可能である。
【符号の説明】
【０１３９】
１１０、２４０  上位Ｉ／Ｆ部
１２０、２５０  基地局間Ｉ／Ｆ部
１３０、２２０、３１０  プロセッサ
１３１、２２４、３０２、３１２  符号化部
１３２、２２５、３０３、３１３  変調部
１３３、２２１、３０４、３１４  復調部
１３４、１６３、２２２、３０５、３１５  復号部
１３５、２２３  ＴＰＣコマンド生成部
１３６、２２６  スケジューリング部
１３７  ＵＲＬＬＣ情報取得部
１３８  臨時符号化率設定部
１３９、１６２、２２７、３０７、３４１  ＲＲＣ制御部
１４０、２３０、３２０  メモリ
１５０、２１０、３３０  無線通信部
１６１  符号化率テーブル生成部
２２８  ＵＲＬＬＣ情報通知部
３０１、３４２  通常データ処理部
３０６  送信電力制御部
３１１  ＵＲＬＬＣ処理部
【図１】
2020090067.tif 000003
【図２】
2020090067.tif 000004
【図３】
2020090067.tif 000005
【図４】
2020090067.tif 000006
【図５】
2020090067.tif 000007
【図６】
2020090067.tif 000008
【図７】
2020090067.tif 000009
【図８】
2020090067.tif 000010
【図９】
2020090067.tif 000011
【図１０】
2020090067.tif 000012
【図１１】
2020090067.tif 000013
【図１２】
2020090067.tif 000014
【図１３】
2020090067.tif 000015
【図１４】
2020090067.tif 000016
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
端末装置から送信される第１のデータの時間区間と第２のデータの時間区間との間に重なりがある場合の、第１のデータの送信方法を指定する情報を前記端末装置へ送信する送信部と、
前記端末装置からの第１のデータの受信処理を実行する受信処理部とを有し、
前記送信部は、
前記端末装置の送信電力に関するパラメータの値と第１のデータの符号化率及び変調方式の少なくとも１つとの間の関係を示す情報を前記端末装置へ送信する
ことを特徴とする基地局装置。
【請求項２】
第１のデータと第２のデータは時間長が異なることを特徴とする請求項１記載の基地局装置。
【請求項３】
前記第１のデータの送信方法を指定する情報を利用し、前記端末装置からの第１のデータを受信処理することを特徴とする請求項１記載の基地局装置。
【請求項４】
前記送信部は、
前記第１のデータの送信方法を指定する情報を、第２のデータの送信タイミングの前に、前記端末装置へ送信することを特徴とする請求項１〜３のいずれか１つに記載の基地局装置。
【請求項５】
前記第１のデータの送信方法を指定する情報は、第１のデータの送信電力と第２のデータの送信電力との和が前記端末装置の最大送信可能電力又は最大送信許可電力のいずれかを超える場合に利用されることを特徴とする請求項１〜３のいずれか１つに記載の基地局装置。
【請求項６】
第１のデータと第２のデータとが同時に送信される場合の、第１のデータの送信方法を指定する情報を受信する受信部と、
第１のデータに対する送信処理を実行する第１送信処理部と、
第２のデータに対する送信処理を実行する第２送信処理部と、
第１のデータ及び第２のデータの送信電力を制御する送信電力制御部とを有し、
前記第１送信処理部は、
第１のデータ及び第２のデータが同時に送信される場合に、前記受信部によって受信された情報に応じた送信方法で送信処理を実行する
ことを特徴とする端末装置。
【請求項７】
第１のデータと第２のデータは時間長が異なることを特徴とする請求項６記載の端末装置。
【請求項８】
前記送信電力制御部は、
自装置の最大送信電力から第２のデータの送信電力を減算した差の電力を超えない範囲で第１のデータの送信電力を制御することを特徴とする請求項６又は７記載の端末装置。
【請求項９】
前記第１送信処理部は、
第２のデータの送信タイミングに前記受信部によって受信された情報が指定する符号化率又は変調方式で第１のデータを符号化又は変調することを特徴とする請求項６又は７記載の端末装置。
【請求項１０】
前記受信部は、
自装置の送信電力に関するパラメータの値と第１のデータの符号化率及び変調方式の少なくとも１つとの間の関係を示す情報を受信し、
前記第１送信処理部は、
第１のデータ及び第２のデータが同時に送信される場合に、前記受信部によって受信された情報から前記パラメータの値に対応する符号化率及び変調方式の少なくとも１つを決定し、決定した符号化率と変調方式を第１のデータに適用することを特徴とする請求項６又は７記載の端末装置。
【請求項１１】
端末装置と、前記端末装置から第１のデータを受信する第１の基地局装置と、前記端末装置から第２のデータを受信する第２の基地局装置とを有する無線通信システムであって、
前記第１の基地局装置は、
第１のデータと第２のデータとが前記端末装置から同時に送信される場合の、第１のデータの送信方法を指定する情報を前記端末装置へ送信する送信部と、
前記送信部によって送信された情報に応じて、前記端末装置から第２のデータと同時に送信される第１のデータの受信処理を実行する受信処理部と
を有し、
前記端末装置は、
前記送信部から送信された情報を受信する受信部と、
第１のデータに対する送信処理を実行する第１送信処理部と、
第２のデータに対する送信処理を実行する第２送信処理部と、
第１のデータ及び第２のデータの送信電力を制御する送信電力制御部とを有し、
前記第１送信処理部は、
第１のデータ及び第２のデータが同時に送信される場合に、前記受信部によって受信された情報に応じた送信方法で送信処理を実行する
ことを特徴とする無線通信システム。
【手続補正２】
【補正対象書類名】明細書
【補正対象項目名】０００９
【補正方法】変更
【補正の内容】
【０００９】
本願が開示する基地局装置は、１つの態様において、端末装置から送信される第１のデータの時間区間と第２のデータの時間区間との間に重なりがある場合の、第１のデータの送信方法を指定する情報を前記端末装置へ送信する送信部と、前記端末装置からの第１のデータの受信処理を実行する受信処理部とを有し、前記送信部は、前記端末装置の送信電力に関するパラメータの値と第１のデータの符号化率及び変調方式の少なくとも１つとの間の関係を示す情報を前記端末装置へ送信する。
【国際調査報告】
2020090067.tif 000017
2020090067.tif 000018
2020090067.tif 000019
2020090067.tif 000020
2020090067.tif 000021
2020090067.tif 000022
2020090067.tif 000023
2020090067.tif 000024
2020090067.tif 000025
2020090067.tif 000026